(57)【要約】本発明は、ベース（３）であって、マウント（９）、ならびに取外し可能なリザーバ（１１）であって、リザーバ（１１）がマウント（９）から離れている接続解除位置、およびリザーバ（１１）がマウント（９）と流体的に係合する動作位置をとるように構成された、取外し可能なリザーバ（１１）を備えるベース（３）と、ベース（３）から遠隔にあるポータブルユニット（５）と、ベース（３）とポータブルユニット（５）を流体的に接続するライン（７）とを備える毛髪スタイリング機器であって、ベース（３）が、接続解除位置から動作位置へのリザーバ（１１）の通過を検出するように構成された検出器（４７）を有する検出システム（４５）も備えることを特徴とする毛髪スタイリング機器に関する。
2019517343.tif 000002
【特許請求の範囲】
【請求項１】
−  ベース（３）であって、
マウント（９）と、
取外し可能なリザーバ（１１）であって、前記リザーバ（１１）が前記マウント（９）から離れている接続解除位置、および前記リザーバ（１１）が前記マウント（９）と流体的に係合する動作位置にあるように構成された、取外し可能なリザーバ（１１）
を備えるベース（３）と、
−  前記ベース（３）から遠隔にあるポータブルユニット（５）と、
−  前記ベース（３）と前記ポータブルユニット（５）を流体的に接続するライン（７）と
を備える毛髪スタイリング機器であって、
前記ベースが、前記接続解除位置から前記動作位置への前記リザーバ（１１）の移動を検出するように構成された検出器（４７）を備えた検出システム（４５）をさらに備えることを特徴とする
毛髪スタイリング機器。
【請求項２】
前記検出システム（４５）は、前記接続解除位置から前記動作位置への前記リザーバ（１１）の移動に関する情報を使用者に伝えるように構成された情報伝達デバイス（４９）を備える請求項１に記載の毛髪スタイリング機器。
【請求項３】
前記ベースは、流体吸引／放出デバイスを備え、前記検出システムは、前記吸引／放出デバイスが始動するのを防ぐように構成された制御インターフェースを備える請求項１または２に記載の毛髪スタイリング機器。
【請求項４】
前記検出器（４７）は、
−  前記接続解除位置から前記動作位置への前記リザーバ（１１）の移動に対応する静止位置と付勢位置との間を移動することの可能な検出部材（５１）と、
−  前記検出部材（５１）を前記静止位置と前記付勢位置との間を移動させるように設計された付勢部材（５３）と
を備える請求項１乃至３のいずれか一項に記載の毛髪スタイリング機器。
【請求項５】
前記検出部材（５１）は、前記検出部材（５１）を前記静止位置に戻すように設計された戻し要素（５５）を備える請求項４に記載の毛髪スタイリング機器。
【請求項６】
前記検出器（４７）は、磁気要素、または波トランスミッタおよび波レシーバを備える請求項１乃至３のいずれか一項に記載の毛髪スタイリング機器。
【請求項７】
前記情報伝達デバイス（４９）は、前記リザーバ（１１）が前記接続解除位置から前記動作位置に移動すると音波を伝達するように構成された音波発生器（６３）を備える請求項２乃至６のいずれか一項に記載の毛髪スタイリング機器。
【請求項８】
前記音波発生器（６３）は、可動部（６５）、および前記可動部（６５）と対向する側に配置された固定部（６７）を備え、前記可動部（６５）は、クリックを生成するために前記固定部（６７）と接触するように構成される請求項７に記載の毛髪スタイリング機器。
【請求項９】
前記可動部（６５）は、前記戻し要素（５５）と一体化されている請求項８に記載の毛髪スタイリング機器。
【請求項１０】
前記情報伝達デバイス（４９）は、触覚フィードバックデバイスおよび／または視覚的インターフェースを備える請求項２乃至７のいずれか一項に記載の毛髪スタイリング機器。
【請求項１１】
前記マウント（９）は、作業面上に位置付けられるためのものである接触部（１３）を備え、前記リザーバ（１１）は、前記接触部（１３）に直角の挿入方向（ＤＩ）に従って前記マウント（９）に取り付けられるように構成される請求項１乃至１０のいずれか一項に記載の毛髪スタイリング機器。
【請求項１２】
前記ポータブルユニットは、２本のアームを備え、前記２本のアームは、毛髪を処理できるように前記２本のアームが互いに近くにある構成と、処理したい毛髪を挟めるように前記２本のアームが隔たっている構成との間を、互いに対して移動することが可能である請求項１乃至１１のいずれか一項に記載の毛髪スタイリング機器。
【発明の詳細な説明】
【技術分野】
【０００１】
本発明は、蒸気を使用する毛髪スタイリング機器であって、特に使用者の毛髪をストレートにする、カールさせる、またはウェーブさせる目的で接触により毛髪を整形するためのものである、毛髪スタイリング機器に関する。
【背景技術】
【０００２】
ストレートにする、カールさせる、またはウェーブさせるための、従来知られている２タイプの毛髪スタイリング機器は、平坦な、湾曲した、または凹凸のある、加熱されるかまたは加熱する、毛髪挟持面を有する。
【０００３】
ストレートアイロン、カーリングアイロン（curling iron）、またはクリンピングアイロン（crimping iron）のような毛髪スタイリング機器は一般に、２つの旋回あご部を備えたポータブルユニットを備える。あご部はそれぞれ、処理面を支持する端部を備えており、処理面のうちの少なくとも一方は加熱され、他方は、毛髪を第１の面と、特に毛髪の挿入を可能にするあご部の開位置から毛髪を加熱部分と接触状態にするための閉位置に移動することによって、接触させるために設けられている。
【０００４】
あご部の他方の端部は、把持領域としての働きをし、開位置から閉位置への移動を可能にする、２つのハンドル半体を成す。移動は、手動により、処理面を毛髪と接触させるように機器の関節で連結された２つのハンドル半体を互いに向かって押すことによって実施される。毛髪の房は、機器をこの房に沿って根元から毛先に移動させることによって、ストレートになる。毛髪の房は、房を少なくとも部分的に処理面の周りに巻き付け、熱を加えて、カールを主として静的にセットすることによって、カールする。
【０００５】
そのような機器では、毛髪の整形を向上させるために毛髪上に噴霧される蒸気を使用することも想定される。
【０００６】
毛髪スタイリング機器の蒸気生成能力を高めるために、蒸気の生成に使用される流体の貯蔵手段を分離することが、特に文献から知られている（例えば、特許文献１参照。）。毛髪スタイリング機器はしたがって、流体を貯蔵するためのものである取外し可能なリザーバを備えたベースを備える。リザーバを充填した後、使用者はそれをベースのマウントに、マウントとリザーバとの間の流体接続を可能にするために取り付ける。ベースのマウントは、毛髪スタイリング機器のポータブルユニット内に配置された流体蒸気生成手段に向かって流体を運ぶための吸引／放出デバイスを備える。
【０００７】
しかし、リザーバとマウントとの間の流体接続は時折、十分に実行されない。実際、使用者は、リザーバがマウントと密閉流体連通するようにそれを正しく位置付けることを仕損じる場合がある。その場合、毛髪スタイリング機器の蒸気生成能力は最適ではなく、機器の効果はこれによって影響を受ける。加えて、不十分な流体接続または非密閉流体接続が、機器に損傷を与え、動作不良を引き起こすおそれがある。
【先行技術文献】
【特許文献】
【０００８】
【特許文献１】欧州特許出願公開第２４４９９１２号明細書
【発明の概要】
【課題を解決するための手段】
【０００９】
本発明の目的は、前述の欠点の全てまたは一部を矯正することである。
【００１０】
この目的のために、本発明は、
−  マウント、
−  取外し可能なリザーバであって、リザーバがマウントから離れている接続解除位置、およびリザーバがマウントと流体的に係合する動作位置にあるように構成された、取外し可能なリザーバ
を備える毛髪スタイリング機器のベースであって、
接続解除位置から動作位置へのリザーバの移動を検出するように構成された検出器を備えた検出システムをさらに備えることを特徴とする
毛髪スタイリング機器のベースに関する。
【００１１】
本発明による措置のおかげで、接続解除位置から動作位置へのリザーバの移動の検出は正確である。リザーバの位置のこの検出が正確であることにより、使用者には、毛髪スタイリング機器を、より具体的にはベースを作動させる際のより一層の安全性がもたらされる。加えて、本発明による措置は、毛髪スタイリング機器の動作不良および劣化のリスクを低減させる。
【００１２】
「接続解除位置」とは、リザーバがマウントから離れている、すなわちマウントから流体的に接続解除されている、リザーバの位置を指す。
【００１３】
本発明の一態様によれば、検出システムは、接続解除位置から動作位置へのリザーバの移動に関する情報を使用者に伝えるように構成された情報伝達デバイスを備える。
【００１４】
これらの措置のおかげで、使用者に、接続解除位置から動作位置へのリザーバの移動が通知される。使用者に対する情報は正確であり、したがって、毛髪スタイリング機器の使用を容易にする。加えて、ベースとマウントとの間に非密閉接続があるときの機器の使用に付随するリスクが抑えられる。
【００１５】
本発明の一態様によれば、ベースは、流体吸引／放出デバイスを備え、検出システムは、リザーバが接続解除位置にあるときに吸引／放出デバイスが始動するのを防ぐように構成された制御インターフェースを備える。
【００１６】
本発明の一態様によれば、ベースは、流体吸引／放出デバイスを備え、検出システムは、リザーバが接続解除位置にあるときに吸引／放出デバイスが始動するのを防ぐために吸引／放出デバイスを制御するように構成された制御インターフェースを備える。
【００１７】
これらの措置のおかげで、リザーバがマウントと密閉流体連通状態にない場合、吸引／放出デバイスは始動することができない。したがって、デバイスへの損傷のリスクが抑えられる。
【００１８】
より具体的には、マウントが、吸引／放出デバイスを備える。
【００１９】
本発明の一態様によれば、制御インターフェースは、リザーバが動作位置にあるときに、より具体的には、検出器が接続解除位置から動作位置へのリザーバの移動を検出したときに、吸引／放出デバイスが始動できるようにするために、吸引／放出デバイスを制御するように構成される。
【００２０】
本発明の一態様によれば、制御インターフェースは、リザーバが動作位置にあるときに、より具体的には、検出器が接続解除位置から動作位置へのリザーバの移動を検出したときに、吸引／放出デバイスを始動させるように構成される。
【００２１】
本発明の一態様によれば、検出器は、接続解除位置から動作位置への移動に関する情報を、情報伝達デバイスおよび／または吸引／放出デバイスに送信するように設計される。
【００２２】
本発明の一実施形態によれば、吸引／放出デバイスはポンプから成る。
【００２３】
本発明の一態様によれば、制御インターフェースは、情報伝達デバイスを制御するように構成される。
【００２４】
「検出器」とは、機械式検出器、電気的接触検出器、磁気または電磁検出器、赤外放射検出器など、あらゆるタイプの近接センサを指す。
【００２５】
本発明の一態様によれば、検出器は、
−  接続解除位置から動作位置へのリザーバの移動に対応する静止位置と付勢位置との間を移動することの可能な検出部材と、
−  検出部材を静止位置と付勢位置との間を移動させるように設計された付勢部材と
を備える。
【００２６】
これらの措置は、電子回路に付随する動作不良を被らない、機械式検出器に関するものである。加えて、機械式検出器は、水の接触の影響をより受けにくい。
【００２７】
本発明の一態様によれば、検出部材は、検出部材を静止位置に戻すように設計された戻し要素を備える。
【００２８】
本発明の一態様によれば、戻し要素は、弾性的に変形可能な要素を備える。
【００２９】
本発明の一態様によれば、検出器は、金属帯板を備える。
【００３０】
本発明の一態様によれば、金属帯板は、マウントに固定された端部部分を備える。
【００３１】
本発明の一態様によれば、金属帯板は、戻し要素を構成する。
【００３２】
本発明の一態様によれば、金属帯板は、検出部材を構成する。
【００３３】
本発明の一態様によれば、戻し要素は、ばねを備える。
【００３４】
本発明の一態様によれば、検出部材は、戻し要素に取り付けられる。
【００３５】
本発明の一態様によれば、検出部材は、戻し要素と一体に形成される。
【００３６】
本発明の一態様によれば、検出部材は、付勢部材の案内面を備える。
【００３７】
本発明の一態様によれば、付勢部材は、検出部材を静止位置から付勢位置に駆動するように設計される。
【００３８】
本発明の一態様によれば、付勢部材は、リザーバと一体化されている。
【００３９】
本発明の一態様によれば、付勢部材は、リザーバと一体に形成される。
【００４０】
本発明の一態様によれば、付勢部材は、フィンガを備える。
【００４１】
本発明の一態様によれば、フィンガは、案内面と係合するように設計される。
【００４２】
本発明の一態様によれば、フィンガは、検出部材を静止位置から付勢位置に駆動するために、案内面に沿ってスライドするように設計される。
【００４３】
本発明の一態様によれば、案内面は、端部部分を備える。
【００４４】
本発明の一態様によれば、付勢部材は、案内面上を端部部分に向かってスライドするように構成される。付勢部材が端部部分に達したときに、検出部材は付勢位置にある。
【００４５】
本発明の一態様によれば、付勢部材は、端部部分を越えるように構成され、戻し要素が、検出部材を静止位置に戻す。
【００４６】
本発明の一態様によれば、検出器は、磁気要素を備える。一実施形態によれば、検出器は、磁気スイッチ、例えば磁気リードスイッチを備える。
【００４７】
一実施形態によれば、検出器は、ホール効果センサを備える。
【００４８】
本発明の一態様によれば、検出器は、波トランスミッタおよび波レシーバを備える。
【００４９】
本発明の一態様によれば、波は赤外線である。
【００５０】
本発明の一態様によれば、波は超音波である。
【００５１】
本発明の一態様によれば、情報伝達デバイスは、音波発生器を備える。
【００５２】
本発明の一態様によれば、音波発生器は、リザーバが接続解除位置から動作位置に移動すると音波を伝達するように構成される。
【００５３】
本発明の一態様によれば、音波発生器は、可動部、および可動部と対向する側に配置された固定部を備え、可動部は、クリックを生成するために固定部と接触するように構成される。クリックが音波を発生させ、したがって、リザーバがマウント上に正しく位置付けられたことを使用者に通知する。
【００５４】
本発明の一態様によれば、可動部は、戻し要素と一体化されている。
【００５５】
本発明の一態様によれば、戻し要素は、可動部を固定部に戻すように構成される。
【００５６】
本発明の一態様によれば、金属帯板は、音波発生器の可動部を構成する。
【００５７】
本発明の一態様によれば、固定部は、マウントと一体化されている。
【００５８】
本発明の一態様によれば、可動部は、検出部材と一体化されている。
【００５９】
本発明の一態様によれば、戻し要素は、検出部材を静止位置に戻すとともに、クリックを発生させるために可動部を固定部に戻すように構成される。
【００６０】
本発明の一態様によれば、固定部は、マウントと一体に形成される。
【００６１】
本発明の一態様によれば、音波発生器は、ビーパーやブザーなどの電気駆動音波トランスミッタを備える。
【００６２】
本発明の一態様によれば、情報伝達デバイスは、触覚フィードバックデバイスを備える。
【００６３】
本発明の一態様によれば、触覚フィードバックデバイスは、リザーバが接続解除位置から動作位置に移動するときに、ハードポイント（hard point）を生じるように構成される。
【００６４】
例えば、触覚フィードバックデバイスは、案内面と同一直線上に配置されるとともに案内面に対する湾曲部を呈する、触覚フィードバック部を備える。案内面に対するこの湾曲部がハードポイントを生じる。
【００６５】
ハードポイントが生じるのは、リザーバが接続解除位置から動作位置に進行する際、リザーバを動作位置に移行させるために使用者がより多くの力を加えなければならないときである。
【００６６】
本発明の一態様によれば、触覚フィードバックデバイスは、接続解除位置から動作位置への移動中に力フィードバックを発生させるように設計されたモータを備える。
【００６７】
本発明の一態様によれば、情報伝達デバイスは、視覚的インターフェースを備える。
【００６８】
本発明の一態様によれば、視覚的インターフェースは、例えば画面、またはＬＥＤなどの光信号を備える。
【００６９】
本発明の一態様によれば、マウントは、作業面上に位置付けられるためのものである接触部を備え、その場合、リザーバは、接触部に直角の挿入方向に従ってマウントに取り付けられるように構成される。
【００７０】
これらの措置のおかげで、リザーバの装着および取外しが使用者にとってより容易になる。実際、リザーバの装着および取外しは、片手だけを使用して実施することができる。
【００７１】
本発明の一態様によれば、接触部は、作業面に実質的に平行に位置付けられるためのものである基準面を備え、リザーバは、接触部に対して傾斜した挿入方向に従ってマウントに取り付けられるように構成される。
【００７２】
本発明の一態様によれば、基準面は、実質的に平坦である。
【００７３】
本発明の一態様によれば、接触部は、実質的に平坦である。
【００７４】
本発明の一態様によれば、接触部は、マウントを作業面に固定するためのものである留め要素を備える。
【００７５】
これらの措置のおかげで、マウントが作業面に固定され得、それにより、使用者が片手だけを使用してリザーバを挿入し、マウントからリザーバを取り外すことが可能になる。
【００７６】
本発明の一態様によれば、留め要素は、少なくとも１つの吸着カップを備える。
【００７７】
本発明の一態様によれば、接触部は、作業面上にベースが載置されるときに作業面と接触するためのものである接触要素、例えばスタッドを備える。
【００７８】
好ましくは、挿入方向と接触部との間の角度、より具体的には、挿入方向と基準面との間の角度は、４５°から９０°の間である。
【００７９】
これらの措置のおかげで、ベースの人間工学性が向上する。
【００８０】
好ましくは、挿入方向と接触部との間の角度、より具体的には、挿入方向と基準面との間の角度は、７０°から９０°の間である。
【００８１】
これらの措置により、ベースの人間工学的性能が向上する。
【００８２】
好ましくは、挿入方向と接触部との間の角度、より具体的には、挿入方向と基準面との間の角度は、８０°から９０°の間である。
【００８３】
これらの措置により、ベースの人間工学的性能が向上する。
【００８４】
好ましくは、挿入方向は、接触部に直角であり、より具体的には、挿入方向は、基準面に直角である。
【００８５】
これらの措置により、ベースの人間工学的性能が向上する。
【００８６】
別の実施形態によれば、挿入方向は接触部に対して、より具体的には基準面に対して、斜めであり、すなわち、挿入方向は、接触部および／または基準面に平行でもなく、接触部および／または基準面に垂直でもない。
【００８７】
本発明の一態様によれば、リザーバは、挿入方向に従ってマウントに載るように構成された停止部を備える。
【００８８】
これらの措置のおかげで、マウント上にリザーバを位置付けることが容易になり、リザーバが動作位置に保持される。
【００８９】
本発明の一態様によれば、停止部は、挿入方向に実質的に垂直である。
【００９０】
本発明の一態様によれば、マウントは、挿入方向に従ってリザーバを保持するためにリザーバの停止部と係合するように構成された支持部を備える。
【００９１】
これらの措置のおかげで、マウント上にリザーバを位置付けることが容易になり、リザーバが動作位置に保持される。
【００９２】
本発明の一態様によれば、マウントは、マウント上へのリザーバの装着中にマウント上にそれを案内するように構成された少なくとも１つの案内部を備える。
【００９３】
これらの措置により、マウント上へのリザーバの装着が容易になり、したがって、ベースの人間工学性が向上する。
【００９４】
本発明の一態様によれば、リザーバは、マウント上へのリザーバの装着を案内するように構成された少なくとも１つの案内部分を備える。
【００９５】
これらの措置により、マウント上へのリザーバの装着が容易になり、したがって、ベースの人間工学性が向上する。
【００９６】
本発明の一態様によれば、マウントは、挿入方向に対して傾斜した保持方向に従ってリザーバを保持するように構成された少なくとも１つの保持部を備える。
【００９７】
本発明の一態様によれば、マウントは、挿入方向に垂直な保持方向に従ってリザーバを保持するように構成された少なくとも１つの保持部を備える。
【００９８】
これらの措置のおかげで、リザーバは、動作位置においてマウント上に保持される。
【００９９】
一代替形態によれば、リザーバは、接触部に実質的に平行な挿入方向に従ってマウントに取り付けられるように構成される。
【０１００】
本発明の一態様によれば、リザーバは、流体を受領するためのハウジングを備える。
【０１０１】
本発明の一態様によれば、流体を受領するためのハウジングは、流体挿入開口を備える。
【０１０２】
「流体」とは、水や水と毛髪ケア製品との混合物など、毛髪を整形するのに適したあらゆるタイプの流体を指す。
【０１０３】
本発明の一態様によれば、リザーバは、閉鎖要素を備え、閉鎖要素は、挿入開口への接近を閉鎖要素が可能にする流体挿入位置、および挿入開口を閉鎖要素が塞ぐ閉位置にあるように構成される。閉位置は、挿入開口への接近を可能にし、したがって、リザーバへの流体の追加を可能にする。
【０１０４】
本発明の一態様によれば、流体を受領するためのハウジングは、出口開口を備える。リザーバは、出口開口の閉鎖要素を備える。
【０１０５】
本発明の一態様によれば、出口開口の閉鎖要素は、弁を備える。
【０１０６】
本発明の一態様によれば、リザーバは、ポンプと流体連通する。
【０１０７】
本発明の一態様によれば、出口開口は、その周縁部に密閉要素を備える。したがって、リザーバが動作位置にあるとき、マウントとの流体接続が密閉される。
【０１０８】
本発明の一態様によれば、密閉要素は、例えば、シール、またはシリコーン製の可撓性壁を備える。
【０１０９】
本発明は、
−  前述の特徴のいずれか１つに準拠したベースと、
−  ベースから遠隔にあるポータブルユニットと、
−  ベースとポータブルユニットを流体的に接続するラインと
を備える毛髪スタイリング機器にさらに関する。
【０１１０】
本発明の一態様によれば、ラインは、ベースとポータブルユニットを電気的に接続する。
【０１１１】
本発明の一態様によれば、ポータブルユニットは、２本のアームを備え、それらは、毛髪を処理できるようにそれらが互いに近くにある構成と、処理したい毛髪を挟めるようにそれらが隔たっている構成との間を、互いに対して移動することが可能である。
【０１１２】
本発明の一態様によれば、２本のアームのうちの少なくとも一方は、毛髪処理面を備える。
【０１１３】
本発明の一態様によれば、２本のアームのうちの少なくとも一方は、加熱要素を備える。
【０１１４】
本発明の一態様によれば、２本のアームのうちの少なくとも一方は、蒸気供給システムを備える。
【図面の簡単な説明】
【０１１５】
本発明の他の特徴および利点は、以下の説明に照らして、また添付の図を精査することによって、理解されよう。
【図１】毛髪スタイリング機器を示す図である。
【図２】毛髪スタイリング機器のベースを示す図である。
【図３】ベースのリザーバが接続解除位置にあるときの、毛髪スタイリング機器のベースの断面図である。
【図４】リザーバが動作位置にあるときの、毛髪スタイリング機器のベースの断面図である。
【発明を実施するための形態】
【０１１６】
これらの図のいずれについても、同一または類似の参照符号が、同一または類似の部材または部材の組を示す。
【０１１７】
図１は、ベース３と、ベース３から遠隔にあるポータブルユニット５と、ベース３とポータブルユニット５を電気的および流体的に接続するライン７とを備える毛髪スタイリング機器１を示す。
【０１１８】
図２に示すベース３は、マウント９、および部材９に取り付けられるように設計されたリザーバ１１を備える。マウント９は、作業面上に位置付けられるためのものである接触部１３を備える。
【０１１９】
この実施形態では、リザーバ１１は、接触部１３に対して傾斜した挿入方向ＤＩに従ってマウント９に取り付けられるように構成される。
【０１２０】
接触部１３は、実質的に平坦な面を備える。接触部１３は、マウント９を作業面に固定するためのものである留め要素１５をさらに備える。留め要素１５はそれぞれ、吸着カップ１７を備える。
【０１２１】
別の実施形態によれば、接触部１３は、スタッドを備える。好ましくは、挿入方向ＤＩは、接触部１３に直角である。
【０１２２】
リザーバ１１は、図３に示す、リザーバ１１がマウント９から離れている接続解除位置にあるように構成される。リザーバはさらに、図４に示す、リザーバ１１がマウント９と流体的に係合する動作位置にあるように構成される。
【０１２３】
リザーバ１１は、流体を受領するように構成される。使用者が毛髪スタイリング機器１を使用する際に、リザーバ１１が空になっている場合、使用者は、リザーバ１１に流体を充填するためにそれをマウント９から取り外すことができる。このとき、リザーバ１１は接続解除位置にある。
【０１２４】
「流体」とは、水や水と毛髪ケア製品との混合物など、毛髪を整形するのに適したあらゆるタイプの流体を指す。
【０１２５】
リザーバ１１が一杯になると、使用者はリザーバ１１を動作位置に位置付ける。動作位置では、リザーバ１１は、マウント９と流体的に係合する。
【０１２６】
呈示した実施形態では、ベース３は、実質的に丸みを帯びている。実際、動作位置では、マウント９とリザーバ１１は、それらの外面が間断なくベース３の滑らかな外面を成すように、はまり合うように構成される。
【０１２７】
マウント９は、支持部１９を備える。リザーバ１１は、挿入方向に従ってリザーバ１１を保持するためにリザーバ１１の支持部１９と係合するように構成された停止部２１を備える。支持部１９と停止部２１は、ベース３の円周に沿って係合する。
【０１２８】
支持部１９および停止部２１はそれぞれ、挿入方向ＤＩに実質的に垂直な部分を備える。
【０１２９】
マウントは、この場合はマウント９の外面に沿ってスロート２３を備えた保持部２２を備える。停止部２１は、リザーバ１１の外面に沿って凸部２５を備える。動作位置では、スロート２３が凸部２５を受領する。
【０１３０】
このように、スロート２３は、挿入方向に対して傾斜した、好ましくは挿入方向に直角の保持方向に従ってリザーバを保持するように構成される。リザーバは、動作位置においてマウント上に保持される。
【０１３１】
マウント９は、マウント９上へのリザーバ１１の装着中にマウント９上にそれを案内するように構成された案内部２７を備える。
【０１３２】
リザーバ１１も、マウント９上へのリザーバ１１の装着中にマウント９の案内部２７に対してスライドするためのものである案内部分２９を備える。このようにして、マウント上へのリザーバの装着が容易になっている。
【０１３３】
リザーバ１１は、流体を受領するためのハウジング３１を備える。流体を受領するためのハウジング３１は、流体挿入開口３３を備える。リザーバ１１は、閉鎖要素３５を備える。閉鎖要素は、挿入開口３３に対して回転移動することの可能な蓋３７を備える。蓋３７は、挿入開口３３への接近を蓋３７が可能にする流体挿入位置、および挿入開口３３を蓋３７が塞ぐ閉位置にあるように構成される。挿入位置は、挿入開口３３への接近を可能にし、したがって、リザーバ１１への流体の追加を可能にする。
【０１３４】
流体を受領するためのハウジング３１は、出口開口３９を備える。リザーバ１１は、出口開口３９の閉鎖要素４１を備える。閉鎖要素４１は、弁４３を備える。リザーバ１１はしたがって、マウント９と流体連通する。出口開口３９は、その周縁部に密閉要素を備える。したがって、リザーバ１１が動作位置にあるとき、マウント９との流体接続が密閉される。密閉要素は、例えば、シール、またはシリコーン製の可撓性壁を備える。
【０１３５】
ベース３は、リザーバ１１が接続解除位置から動作位置に移動するときを検出するように構成された検出器４７を備えた検出システム４５をさらに備える。「検出器」とは、機械式検出器、電気的接触検出器、磁気または電磁検出器、赤外放射検出器など、あらゆるタイプの近接センサを指す。
【０１３６】
したがって、接続解除位置から動作位置へのリザーバ１１の移動の検出は正確である。リザーバ１１の位置のこの検出が正確であることにより、使用者には、毛髪スタイリング機器１を、より具体的にはベース３を作動させる際のより一層の安全性がもたらされる。加えて、検出システム４５は、毛髪スタイリング機器１の動作不良および劣化のリスクの低減を可能にする。
【０１３７】
検出システム４５は、接続解除位置から動作位置への移動に関する情報を使用者に伝えるように構成された情報伝達デバイス４９を備える。したがって、使用者に、接続解除位置から動作位置へのリザーバ１１の移動が通知される。使用者に対する情報は正確であり、したがって、毛髪スタイリング機器１の使用を容易にする。
【０１３８】
検出器４７は、接続解除位置から動作位置への移動に関する情報を、情報伝達デバイス４９に送信するように設計される。
【０１３９】
図示の実施形態によれば、検出器４７は、接続解除位置から動作位置へのリザーバ１１の移動に対応する静止位置と付勢位置との間を移動することの可能な検出部材５１を備える。検出部材５１はこの場合、金属帯板である。
【０１４０】
検出器４７は、検出部材５１を静止位置と付勢位置との間を移動させるように設計された付勢部材５３をさらに備える。検出器４７はこの場合、電子デバイスなど、水性媒体の影響を受けやすいデバイスに付随する動作不良を被らない、機械式である。検出部材５１は、検出部材５１を静止位置に戻すように設計された戻し要素５５を備える。戻し要素５５は、弾性的に変形可能な要素を備える。戻し要素５５はこの場合、弾性的に変形可能な金属帯板から成る。検出部材５１はしたがって、戻し要素５５と一体に形成される。
【０１４１】
別の実施形態によれば、戻し要素５５は、ばねを備えることができる。
【０１４２】
検出部材５１は、付勢部材５３の案内面５７を備える。付勢部材５３は、使用者がリザーバ１１をマウント９上に置いたときに、検出部材を静止位置から付勢位置に駆動するように設計される。
【０１４３】
図示の実施形態では、付勢部材５３は、リザーバ１１と一体化されている。付勢部材５３は、リザーバ１１と一体に形成される。
【０１４４】
付勢部材５３は、フィンガ５９を備える。フィンガ５９は、案内面５７と係合するように設計される。フィンガ５９は、検出部材５１を静止位置から付勢位置に駆動するために、案内面５７に沿ってスライドするように設計される。
【０１４５】
案内面５７は、端部部分６１を備える。フィンガ５９が案内面５７上をスライドして端部部分６１に達したときに、検出部材５１は付勢位置にある。フィンガ５９は次いで、端部部分６１を越え、戻し要素５５が、検出部材５１を静止位置に戻す。
【０１４６】
図示の実施形態によれば、情報伝達デバイス４９は、音波発生器６３を備える。
【０１４７】
音波発生器６３は、リザーバ１１が接続解除位置から動作位置に移動すると音波を伝達するように設計される。音波発生器６３は、可動部６５、および固定部６７を備える。可動部６５は、音波を発生させるクリックを生じさせるために固定部６７と接触するように設計される。
【０１４８】
金属帯板は、可動部６５から成る。可動部はしたがって、検出部材５１と一体に形成される。固定部６７は、マウント９と一体に形成される。戻し要素５５が検出部材５１を静止位置に戻すと、可動部６５が固定部６７と接触し、それによりクリックが発生する。
【０１４９】
マウント９は、ポンプ６９をさらに備える。ポンプ６９は、ポンプアクチュエータ７１を備える。図示の実施形態では、ポンプアクチュエータ７１は、モータ７３から成る。
【０１５０】
一実施形態によれば、検出器４７は、情報伝達デバイス４９を制御するように構成された制御インターフェースを備えることができる。
【０１５１】
本発明の別の実施形態によれば、検出器４７は、磁気要素を備える。検出器４７は、例えば、磁気スイッチまたはホール効果センサを備えることができる。
【０１５２】
本発明の別の実施形態によれば、検出器４７は光学式であり、例えば赤外線の波トランスミッタおよび波レシーバを備える。
【０１５３】
別の実施形態によれば、ベースは、流体吸引／放出デバイスを備え、検出システムは、リザーバが接続解除位置にあるときに吸引／放出デバイスが始動するのを防ぐために吸引／放出デバイスを制御するように構成された制御インターフェースを備える。
【０１５４】
このようにして、リザーバがマウントと密閉流体連通状態にない場合、吸引／放出デバイスは始動することができない。したがって、デバイスへの損傷のリスクが抑えられる。より具体的には、マウントが、吸引／放出デバイスを備える。
【０１５５】
制御インターフェースは、リザーバが動作位置にあるときに、より具体的には、検出器が接続解除位置から動作位置へのリザーバの移動を検出したときに、吸引／放出デバイスが始動できるようにするために、吸引／放出デバイスを制御するように構成される。
【０１５６】
この実施形態のオプションの態様によれば、制御インターフェースは、リザーバが動作位置にあるときに、より具体的には、検出器が接続解除位置から動作位置へのリザーバの移動を検出したときに、吸引／放出デバイスを始動させるように構成される。
【０１５７】
検出器は、接続解除位置から動作位置への移動に関する情報を、吸引／放出デバイスに送信するように設計される。
【０１５８】
図示の実施形態によれば、吸引／放出デバイスは、ポンプ６９から成る。したがって、制御インターフェースは、ポンプアクチュエータ７１を制御するように構成される。
【０１５９】
本発明の別の実施形態によれば、音波発生器６３は、ビーパーやブザーなどの電気駆動音波トランスミッタを備える。
【０１６０】
本発明の別の実施形態によれば、情報伝達デバイス４９は、触覚フィードバックデバイスを備える。触覚フィードバックデバイスは、リザーバが接続解除位置から動作位置に移動するときに、ハードポイントを生じるように構成される。例えば、触覚フィードバックデバイスは、案内面と同一直線上に配置されるとともに案内面に対する湾曲部を呈する、触覚フィードバック部を備える。この湾曲部がハードポイントを生じる。ハードポイントが生じるのは、リザーバが接続解除位置から接続位置に進行する際、リザーバを動作位置に移行させるために使用者がより多くの力を加えなければならないときである。触覚フィードバックデバイスは、接続解除位置から動作位置への移動中に力フィードバックを発生させるように設計されたモータを備えてもよい。
【０１６１】
本発明の別の実施形態によれば、情報伝達デバイス４９は、視覚的インターフェースを備える。視覚的インターフェースは、例えば画面、またはＬＥＤなどの光信号を備える。
【０１６２】
言うまでもなく、本発明は、例示を目的として提供されており限定するものではない、説明し図示した実施形態に限定されない。
【図１】
2019517343.tif 000003
【図２】
2019517343.tif 000004
【図３】
2019517343.tif 000005
【図４】
2019517343.tif 000006
【国際調査報告】
2019517343.tif 000007
2019517343.tif 000008
2019517343.tif 000009
2019517343.tif 000010